(57)【要約】【課題】異物の影響を抑制することができる硬貨処理機を提供する。【解決手段】硬貨Ｃの下面に接触する搬送面５５と硬貨Ｃの外周面に接触する案内壁面５６Ｂとを有し、硬貨Ｃを案内壁面５６Ｂで案内しつつ搬送面５５上で移動させる搬送部３１と、案内壁面５６Ｂから搬送面５５側に前進可能且つ案内壁面５６Ｂ側に後退可能な進退部材７１と、搬送面５５に設けられ、進退部材７１が案内壁面５６Ｂから前進した状態で進退部材７１に接触した硬貨Ｃを搬送面５５から落下させる一方、進退部材７１が案内壁面５６Ｂ側に後退した状態で硬貨Ｃを搬送面５５から落下させずに上方を通過させる硬貨落下孔８０と、搬送面５５に硬貨落下孔８０に対し案内壁面５６Ｂとは反対側に設けられ、搬送面５５から異物Ｉを落下させる異物落下孔９１とを備える。【選択図】図５
2018005605.tif 000002
【特許請求の範囲】
【請求項１】
硬貨の下面に接触する搬送面と硬貨の外周面に接触する案内壁面とを有し、硬貨を前記案内壁面で案内しつつ前記搬送面上で移動させる搬送部と、
前記案内壁面から前記搬送面側に前進可能且つ前記案内壁面側に後退可能な進退部材と、
前記搬送面に設けられ、前記進退部材が前記案内壁面から前進した状態で該進退部材に接触した硬貨を前記搬送面から落下させる一方、前記進退部材が前記案内壁面側に後退した状態で硬貨を前記搬送面から落下させずに上方を通過させる硬貨落下孔と、
前記搬送面に前記硬貨落下孔に対し前記案内壁面とは反対側に設けられ、前記搬送面から異物を落下させる異物落下孔とを備えることを特徴とする硬貨処理機。
【請求項２】
前記異物落下孔は、前記搬送面に対し前記案内壁面とは反対側の反対壁面まで設けられていることを特徴とする請求項１に記載の硬貨処理機。
【請求項３】
前記異物落下孔は、前記案内壁面から前進した状態の前記進退部材に接触する硬貨と硬貨搬送方向に対し直交する方向の位置を重ね合わせていることを特徴とする請求項１又は２に記載の硬貨処理機。
【請求項４】
前記硬貨落下孔は、機体から取り出し可能な硬貨受箱に硬貨を落下させ、前記異物落下孔は、前記硬貨受箱に異物を落下させることを特徴とする請求項１乃至３の何れか一項に記載の硬貨処理機。
【請求項５】
前記硬貨落下孔は、硬貨搬送方向の上流側に設けられた識別部で識別された不良硬貨を機外に排除するためのリジェクト孔であることを特徴とする請求項１乃至４の何れか一項に記載の硬貨処理機。
【請求項６】
前記搬送部は、下辺部で前記搬送面に硬貨を押し付ける無端搬送ベルトを有し、
前記無端搬送ベルトの上辺部の上方に前記搬送面上の硬貨を検知する硬貨検知センサが設けられており、
前記上辺部の移動方向の前記硬貨検知センサよりも上流側に前記上辺部から前記硬貨検知センサに向けて飛ぶ異物に当接する規制部が設けられていることを特徴とする請求項１乃至５の何れか一項に記載の硬貨処理機。
【請求項７】
前記硬貨検知センサが前記上辺部の両側に設けられており、
前記規制部が前記上辺部の両側に設けられて該上辺部の横揺れを規制することを特徴とする請求項６に記載の硬貨処理機。
【発明の詳細な説明】
【技術分野】
【０００１】
本発明は、硬貨処理機に関する。
【背景技術】
【０００２】
銀行等の金融機関で使用される硬貨処理機がある（例えば、特許文献１参照）。硬貨処理機は、硬貨が一枚ずつ搬送される搬送路と、搬送路に沿う上方位置に設けられ、硬貨を上側から押し付けることにより搬送路に沿って硬貨をスライドさせる搬送ベルトとを備えている。また、搬送路には、硬貨の真偽、金種及び汚損を判別する硬貨判別センサと、硬貨判別センサにより「偽」及び「汚損」と判別された不良硬貨が落下されるリジェクト孔と、不良硬貨をリジェクト孔に案内する不良硬貨振分部材とが設けられ、更に、リジェクト孔の下流側に、硬貨径に対応して大きさが設定された複数の金種選別孔と、金種選別孔の近傍に、硬貨の通過を検知する硬貨検知センサとが設けられている。
【先行技術文献】
【特許文献】
【０００３】
【特許文献１】特許第３３８０３７８号公報
【発明の概要】
【発明が解決しようとする課題】
【０００４】
硬貨処理機においては、搬送部に硬貨粉や塵埃等の異物が残留することがあり、この異物に影響を受ける可能性がある。
【０００５】
本発明は、上記の点に鑑みなされたもので、異物の影響を抑制することができる硬貨処理機の提供を目的とする。
【課題を解決するための手段】
【０００６】
上記目的を達成するために、本発明に係る第１の態様は、硬貨の下面に接触する搬送面と硬貨の外周面に接触する案内壁面とを有し、硬貨を前記案内壁面で案内しつつ前記搬送面上で移動させる搬送部と、前記案内壁面から前記搬送面側に前進可能且つ前記案内壁面側に後退可能な進退部材と、前記搬送面に設けられ、前記進退部材が前記案内壁面から前進した状態で該進退部材に接触した硬貨を前記搬送面から落下させる一方、前記進退部材が前記案内壁面側に後退した状態で硬貨を前記搬送面から落下させずに上方を通過させる硬貨落下孔と、前記搬送面に前記硬貨落下孔に対し前記案内壁面とは反対側に設けられ、前記搬送面から異物を落下させる異物落下孔とを備えることを特徴とする。
【０００７】
上記第１の態様によれば、搬送面上の異物のうち、搬送される硬貨に押されて硬貨落下孔に向けて移動するものは硬貨落下孔に落下し、これに加えて、搬送される硬貨に押されて硬貨落下孔よりも案内壁面とは反対側で移動するものが異物落下孔から落下する。よって、より多くの異物を搬送面から排除することができる。
【０００８】
本発明に係る第２の態様は、上記第１の態様において、前記異物落下孔は、前記搬送面に対し前記案内壁面とは反対側の反対壁面まで設けられていることを特徴とする。
【０００９】
本発明に係る第２の態様によれば、異物落下孔が反対壁面まで設けられているため、より広範囲の異物を落下させることができる。
【００１０】
本発明に係る第３の態様は、上記第１又は第２の態様において、前記異物落下孔は、前記案内壁面から前進した状態の前記進退部材に接触する硬貨と硬貨搬送方向に対し直交する方向の位置を重ね合わせていることを特徴とする。
【００１１】
上記第３の態様によれば、案内壁面から前進した状態の進退部材に接触する硬貨で押される異物を、より良好に落下させることができる。
【００１２】
本発明に係る第４の態様は、上記第１乃至第３の何れか一態様において、前記硬貨落下孔は、機体から取り出し可能な硬貨受箱に硬貨を落下させ、前記異物落下孔は、前記硬貨受箱に異物を落下させることを特徴とする。
【００１３】
上記第４の態様によれば、硬貨受箱を機体から取り出すことで、硬貨と共に異物も容易に取り出すことができる。
【００１４】
本発明に係る第５の態様は、上記第１乃至第４の何れか一態様において、前記硬貨落下孔は、硬貨搬送方向の上流側に設けられた識別部で識別された不良硬貨を機外に排除するためのリジェクト孔であることを特徴とする。
【００１５】
上記第５の態様によれば、周辺に異物が存在する可能性が高いリジェクト孔に並べて異物落下孔を設けることになるため、異物を更に効果的に搬送面から落下させることができる。
【００１６】
本発明に係る第６の態様は、上記第１乃至第５の何れか一態様において、前記搬送部は、下辺部で前記搬送面に硬貨を押し付ける無端搬送ベルトを有し、前記無端搬送ベルトの上辺部の上方に前記搬送面上の硬貨を検知する硬貨検知センサが設けられており、前記上辺部の移動方向の前記硬貨検知センサよりも上流側に前記上辺部から前記硬貨検知センサに向けて飛ぶ異物に当接する規制部が設けられていることを特徴とする。
【００１７】
上記第６の態様によれば、無端搬送ベルトの上辺部の移動方向の硬貨検知センサよりも上流側に設けられた規制部が、移動する上辺部から硬貨検知センサに向けて飛ぶ異物に当接するため、異物の硬貨検知センサへの付着を抑制することができる。
【００１８】
本発明に係る第７の態様は、上記第６の態様において、前記硬貨検知センサが前記上辺部の両側に設けられており、前記規制部が前記上辺部の両側に設けられて該上辺部の横揺れを規制することを特徴とする。
【００１９】
上記第７の態様によれば、上辺部の両側に設けられた規制部が、上辺部の両側に設けられた硬貨検知センサへの異物の付着を抑制すると共に、上辺部の横揺れを規制する。
【発明の効果】
【００２０】
本発明によれば、異物の影響を抑制することができる硬貨処理機を提供することができる。
【図面の簡単な説明】
【００２１】
【図１】本発明に係る一実施形態の硬貨処理機の外観を示す斜視図である。
【図２】本発明に係る一実施形態の硬貨処理機を概略的に示すブロック図である。
【図３】本発明に係る一実施形態の硬貨処理機の投入硬貨受入部、搬送部、識別部、入金リジェクト部及び金種等振分部を示す平面図である。
【図４】本発明に係る一実施形態の硬貨処理機のリジェクト部近傍の部分平面図である。
【図５】本発明に係る一実施形態の硬貨処理機のリジェクト部近傍の部分平面図である。
【図６】本発明に係る一実施形態の硬貨処理機の搬送ベルト機構、硬貨検知センサ及び規制部材等を示す側面図である。
【図７】本発明に係る一実施形態の硬貨処理機の無端搬送ベルト、硬貨検知センサ及び規制部材等を示す側断面図である。
【図８】本発明に係る一実施形態の硬貨処理機の搬送ベルト機構、硬貨検知センサ及び規制部材等を示す正断面図である。
【発明を実施するための形態】
【００２２】
本発明に係る一実施形態の硬貨処理機を図面を参照して以下に説明する。図１に示す本実施形態の硬貨処理機１は、銀行等の金融機関の店舗に設置されて使用されるものである。本実施形態の硬貨処理機１は、バラ硬貨の選別計数を行って返却する選別計数返却処理及びバラ硬貨の選別計数を行って収納する選別計数収納処理（入金処理）が可能な硬貨選別収納機であり、例えば図示略の硬貨包装機及び紙幣処理機等と並設されて、貨幣の入出金処理等の種々の処理が可能な出納機を構成するものである。
【００２３】
硬貨処理機１は、処理機本体部２とその上部に開閉可能に設けられた上カバー３とを有している。硬貨処理機１の上面を構成する上カバー３には、操作者によるバラ硬貨の投入を受け付ける投入口５と、表示を行うと共に操作入力を受け付ける表示操作部６と、電源スイッチ７とが設けられている。表示操作部６は、操作入力を受け付けると共に表示を行うタッチパネル式の表示操作本体部８と、操作入力を受け付ける操作ボタン９とを有している。
【００２４】
処理機本体部２は、その機体１１から引き出されて取り外される一方、機体１１に取り付けられて押し込まれるリジェクト箱１２（硬貨受箱）と、機体１１から引き出されて取り外される一方、機体１１に取り付けられて押し込まれる返却箱１３と、機体１１に対して引き出されたり押し込まれたりする収納部１４とを有している。
【００２５】
リジェクト箱１２には、バラ硬貨の選別計数返却処理及び選別計数収納処理時に、投入口５に投入されたバラ硬貨の中から金種識別不能で偽と識別された不良硬貨が入れられることになる。操作者は、リジェクト箱１２を機体１１から手前に引き出し取り外して不良硬貨を機外に取り出す。
【００２６】
返却箱１３には、バラ硬貨の選別計数返却処理時に、投入口５に投入されたバラ硬貨の中から金種識別可能で真と識別された良好硬貨が金種別に分類されて入れられることになる。操作者は、返却箱１３を機体１１から手前に引き出し取り外して金種別に分類された良好硬貨を機外に取り出す。
【００２７】
ここで、返却箱１３は、個別に区分けされて機体１１の前後方向に並べられる図２に示す受入部１５を、金種数よりも一つ多く有しており、良好硬貨のうちの汚損度合いが小さい正常硬貨を対応する一金種用の受入部１５に受け入れると共に、良好硬貨のうちの汚損度合いが大きい汚損硬貨を金種混合で別の受入部１５に受け入れる。すなわち、機体１１の前後方向の最も前側の第１の受入部１５に全金種つまり１円〜５００硬貨の汚損硬貨を、これに隣り合う第２の受入部１５に最小径の第１の金種の硬貨つまり１円硬貨の正常硬貨を、これに隣り合う第３の受入部１５に２番目に小径の第２の金種の硬貨つまり５０円硬貨の正常硬貨を、これに隣り合う第４の受入部１５に３番目に小径の第３の金種の硬貨つまり５円硬貨の正常硬貨を、これに隣り合う第５の受入部１５に４番目に小径の第４の金種の硬貨つまり１００円硬貨の正常硬貨を、これに隣り合う第６の受入部１５に５番目に小径の第５の金種の硬貨つまり１０円硬貨の正常硬貨を、これに隣り合う第７の受入部１５に最大径の第６の金種の硬貨つまり５００円硬貨の正常硬貨を、それぞれ受け入れる。
【００２８】
図１に示す収納部１４は、機体１１にスライド可能に連結された引出部１６と、引出部１６に対し着脱可能に連結された金種別の図２に示す収納庫１７とを有している。図１に示すように、機体１１には、引出部１６の機体１１に対するロック及びロック解除を切り替えるキーシリンダ１８が設けられている。収納庫１７は、バラ硬貨の選別計数収納処理時に、投入口５に投入されたバラ硬貨の中から金種識別可能な良好硬貨が金種別に分類されて入れられることになる。操作者は、図示略の鍵をキーシリンダ１８に挿入して引出部１６の機体１１に対するロックを解除し、この状態で、引出部１６を機体１１から手前に引き出し、引出部１６から収納庫１７を取り出して、金種別に分類されて収納されている良好硬貨を機外に取り出す。収納庫１７は機体１１の前後方向に並べられている。
【００２９】
ここで、収納部１４も、金種数よりも一つ多い収納庫１７を有しており、良好硬貨のうちの汚損度合いが小さい正常硬貨を対応する一金種用の収納庫１７に受け入れると共に、良好硬貨のうちの汚損度合いが大きい汚損硬貨を金種混合で別の収納庫１７に受け入れる。すなわち、機体１１の前後方向の最も前側の第１の収納庫１７に全金種つまり１円〜５００硬貨の汚損硬貨を、これに隣り合う第２の収納庫１７に１円硬貨の正常硬貨を、これに隣り合う第３の収納庫１７に５０円硬貨の正常硬貨を、これに隣り合う第４の収納庫１７に５円硬貨の正常硬貨を、これに隣り合う第５の収納庫１７に１００円硬貨の正常硬貨を、これに隣り合う第６の収納庫１７に１０円硬貨の正常硬貨を、これに隣り合う第７の収納庫１７に５００円硬貨の正常硬貨を、それぞれ受け入れる。
【００３０】
図２に示すように、硬貨処理機１は、投入口５を開閉する投入口シャッタ機構２０と、投入口５に投入された硬貨を受け入れる投入硬貨受入部２１とを有している。投入硬貨受入部２１は、投入口５に投入された硬貨を受け入れるホッパ２５と、ホッパ２５の底面を形成し投入口５に投入された硬貨を載置させる供給盤２６と、供給盤２６の回転により繰り出される硬貨を受け入れる回転盤２７とを有している。
【００３１】
また、硬貨処理機１は、回転盤２７から１枚ずつ繰り出された硬貨つまり投入硬貨受入部２１から送出された硬貨を搬送する搬送部３１と、搬送部３１で搬送中の硬貨の真偽、金種及び汚損（正損）を識別し、金種識別可能で真と識別された良好硬貨を金種別及び正損別に計数する識別部３２と、識別部３２の識別結果から金種識別不能で偽と識別された不良硬貨を搬送部３１からリジェクト箱１２にリジェクトするリジェクト部３３とを有している。
【００３２】
また、硬貨処理機１は、識別部３２の識別結果から真と識別された良好硬貨を搬送部３１から汚損硬貨と正常硬貨とに振り分け、正常硬貨については更に金種別に振り分ける金種等振分部３５と、金種等振分部３５で振り分けられた硬貨を振り分け時の分類のまま収納する一時貯留部３６とを有している。
【００３３】
ここで、一時貯留部３６も、個別に区分けされて機体１１の前後方向に並べられる貯留部３７を金種数よりも一つ多く有しており、良好硬貨のうちの汚損度合いが小さい正常硬貨を対応する一金種用の貯留部３７に受け入れると共に、良好硬貨のうちの汚損度合いが大きい汚損硬貨を金種混合で別の貯留部３７に受け入れる。すなわち、機体１１の前後方向の最も前側の第１の貯留部３７に全金種つまり１円〜５００硬貨の汚損硬貨を、これに隣り合う第２の貯留部３７に１円硬貨の正常硬貨を、これに隣り合う第３の貯留部３７に５０円硬貨の正常硬貨を、これに隣り合う第４の貯留部３７に５円硬貨の正常硬貨を、これに隣り合う第５の貯留部３７に１００円硬貨の正常硬貨を、これに隣り合う第６の貯留部３７に１０円硬貨の正常硬貨を、これに隣り合う第７の貯留部３７に５００円硬貨の正常硬貨を、それぞれ受け入れる。
【００３４】
一時貯留部３６は、機体１１の左右方向に横移動可能となっており、図２に実線で示す第１の横方向位置にあるとき、返却箱１３に硬貨を送出可能となっている。返却箱１３は、一時貯留部３６から硬貨を受け入れる際に、一時貯留部３６での分類状態のままで硬貨を受け入れる。つまり、返却箱１３は、一時貯留部３６の第１の貯留部３７の硬貨のみを第１の受入部１５に、第２の貯留部３７の硬貨のみを第２の受入部１５に、第３の貯留部３７の硬貨のみを第３の受入部１５に、第４の貯留部３７の硬貨のみを第４の受入部１５に、第５の貯留部３７の硬貨のみを第５の受入部１５に、第６の貯留部３７の硬貨のみを第６の受入部１５に、第７の貯留部３７の硬貨のみを第７の受入部１５に、それぞれ受け入れる。
【００３５】
一時貯留部３６は、図２に実線で示す第１の横方向位置を基本位置とし、必要により、図２の二点鎖線で示す第２の横方向位置に移動する。第２の横方向位置にあるとき、一時貯留部３６は、収納部１４に硬貨を送出する。収納部１４は、一時貯留部３６から硬貨を受け入れる際に、一時貯留部３６での分類状態のままで硬貨を受け入れて収納する。つまり、収納部１４は、一時貯留部３６の第１の貯留部３７の硬貨のみを第１の収納庫１７に、第２の貯留部３７の硬貨のみを第２の収納庫１７に、第３の貯留部３７の硬貨のみを第３の収納庫１７に、第４の貯留部３７の硬貨のみを第４の収納庫１７に、第５の貯留部３７の硬貨のみを第５の収納庫１７に、第６の貯留部３７の硬貨のみを第６の収納庫１７に、第７の貯留部３７の硬貨のみを第７の収納庫１７に、それぞれ受け入れる。
【００３６】
図３に示すように、回転盤２７には、その遠心力で送り出される硬貨を一枚ずつに分離する分離部材４１が設けられている。搬送部３１は、回転盤２７から分離部材４１で一枚ずつに分離されて順次繰り出される硬貨を搬送するもので、回転盤２７からその接線方向に沿って延出する第１の搬送路５１と、第１の搬送路５１の回転盤２７とは反対側から第１の搬送路５１に直交して延出する第２の搬送路５２とを有している。第１の搬送路５１は硬貨処理機１の前面側で幅方向（左右方向）に延びており、第２の搬送路５２は硬貨処理機１の側面側で奥行方向（後方）に延びている。
【００３７】
第１の搬送路５１は、回転盤２７からその接線方向に沿って延出すると共にほぼ水平に配置される搬送面５５と、搬送面５５の硬貨処理機１の前面側の一側縁部から垂直に立ち上がる搬送壁面５６と、搬送面５５に対し搬送壁面５６とは反対側の他側縁部から垂直に立ち上がる搬送壁面５７とを有している。
【００３８】
搬送面５５は、回転盤２７から分離部材４１で一枚ずつに分離されて順次繰り出される硬貨の下面に接触することになり、搬送壁面５６，５７は硬貨の外周面に接触する。搬送壁面５６と搬送壁面５７との間隔は、最大径硬貨である５００円硬貨の直径よりも大きく、最小径硬貨である１円硬貨の直径の２倍よりも小さい。これにより、搬送面５５及び搬送壁面５６，５７は、硬貨を搬送方向に一列状にして移動させる。
【００３９】
第１の搬送路５１は、搬送面５５の上方で搬送面５５の延在方向に沿って延びる２本の無端搬送ベルト６１，６２を含む搬送ベルト機構６３を有している。無端搬送ベルト６１，６２は、それぞれが搬送面５５の延在方向に離間する一対の図示略のプーリに掛けられており、搬送ベルト機構６３は、無端搬送ベルト６１，６２で硬貨を搬送面５５に押し付けながら搬送面５５上でスライドさせて回転盤２７側から第２の搬送路５２側に向けて搬送する。このときの無端搬送ベルト６１，６２の回転方向を正転とする。搬送面５５の回転盤２７側には、搬送面５５の一部を構成するように上記した識別部３２が設けられている。識別部３２は、搬送ベルト機構６３で搬送されてその上面上を移動する硬貨を識別する。
【００４０】
第１の搬送路５１は、識別部３２に対し回転盤２７とは反対側に、その外周面６６Ａが搬送壁面５６の一部を構成するガイドローラ６６が設けられている。ガイドローラ６６は、これよりも回転盤２７側で搬送壁面５６の一部を構成する上流壁面５６Ａよりも搬送壁面５７側に突出しており、搬送ベルト機構６３によって搬送面５５上で識別部３２側から第２の搬送路５２側に搬送される全ての硬貨の外周面をその外周面６６Ａに当接させる。これにより、ガイドローラ６６は、これに接触した全ての硬貨について、第１の搬送路５１の硬貨搬送に直交する通路幅方向の搬送壁面５６側の端部位置を揃える。
【００４１】
第１の搬送路５１は、ガイドローラ６６に対し識別部３２とは反対側に、搬送壁面５６の一部を構成する直線状の案内壁面５６Ｂが設けられている。案内壁面５６Ｂは、ガイドローラ６６の外周面６６Ａの最も搬送壁面５７側の端部よりも通路幅方向において若干搬送壁面５７側に位置しており、よって、搬送ベルト機構６３による搬送中、ガイドローラ６６に接触した後の硬貨は、基本的に外周面を案内壁面５６Ｂに接触させながら第２の搬送路５２側に向けて移動する。よって、第１の搬送路５１は、硬貨を案内壁面５６Ｂで案内しつつ搬送面５５上で移動させる。
【００４２】
案内壁面５６Ｂの途中位置には、案内壁面５６Ｂから搬送面５５側に前進可能且つ案内壁面５６Ｂ側に後退可能なカム状の進退部材７１が設けられている。図４に示すように、進退部材７１は、支持軸７２を中心に回転するもので、外周側に平面状の退避面７１Ａと円弧状の案内面７１Ｂとを有し、これら退避面７１Ａ及び案内面７１Ｂとは反対側にギア部７３が設けられている。進退部材７１に対し搬送面５５とは反対側には、ギア部７３に噛み合うギア部７７を有し図示略のロータリソレノイドで所定の角度範囲で往復回転する中間部材７８が設けられている。中間部材７８が所定の角度範囲で回転することにより、進退部材７１は、図４に示す第１の回転位置と、図５に示す第２の回転位置とに位置する。
【００４３】
進退部材７１は、図４に示す第１の回転位置に位置するとき、平面状の退避面７１Ａが案内壁面５６Ｂと平行をなして案内壁面５６Ｂよりも若干搬送面５５とは反対側に位置することになる。進退部材７１は、第１の回転位置に位置するとき、案内壁面５６Ｂよりも搬送面５５側に一切突出することはない。進退部材７１は、図５に示す第２の回転位置に位置するとき、平面状の退避面７１Ａと円弧状の案内面７１Ｂとが案内壁面５６Ｂよりも搬送面５５側に突出する。その際に、案内面７１Ｂがガイドローラ６６側に、退避面７１Ａが第２の搬送路５２側に位置する。
【００４４】
搬送面５５には、硬貨を落下させるリジェクト孔８０（硬貨落下孔）が、進退部材７１と第１の搬送路５１における硬貨搬送方向の位置を重ね合わせて設けられている。リジェクト孔８０は、硬貨搬送方向の上流側に設けられた図３に示す識別部３２で識別された不良硬貨を、搬送面５５から、機体１１から取り出し可能な図１，図２に示すリジェクト箱１２に落下させる。つまり、リジェクト孔８０は、不良硬貨を機外に排除するための孔である。図４に示すように、リジェクト孔８０は、案内壁面５６Ｂから全体的に離間しており、よって、搬送面５５には、案内壁面５６Ｂとリジェクト孔８０との間にリジェクト孔８０に沿って延びるレール部７９が設けられている。リジェクト孔８０は、図４に示す第１の回転位置に位置する進退部材７１からも全体的に離間している。他方で、図５に示す第２の回転位置に位置する進退部材７１に対しては、一部重なる。つまり、進退部材７１は、リジェクト孔８０から全体的に離間する第１の回転位置と、リジェクト孔８０に一部重なり合う第２の回転位置とに位置が切り替えられる。
【００４５】
リジェクト孔８０は、進退部材７１が図５に示すように案内壁面５６Ｂから前進した状態で、進退部材７１の案内面７１Ｂに接触した硬貨Ｃを搬送面５５から落下させる一方、進退部材７１が図４に示すように案内壁面５６Ｂ側に後退した状態では、硬貨Ｃを搬送面５５から落下させずに上方を通過させる。つまり、図３に示す搬送ベルト機構６３で搬送される硬貨は、識別部３２を通過後、ガイドローラ６６によって外周面が案内壁面５６Ｂに接触する状態となり、この状態で、案内壁面５６Ｂに接触した状態で移動する。このように移動する硬貨のうち、不良硬貨を、図５に示すように進退部材７１を突出させることにより、進退部材７１の案内面７１Ｂの案内で案内壁面５６Ｂから離間させる。すると、不良硬貨Ｃは、レール部７９からも離れ、この状態のまま更に移動して、片持ち状態で重心を含む部分がリジェクト孔８０内に配置されることになって、リジェクト孔８０から自重で落下する。他方、良好硬貨Ｃは、図４に示すように、案内壁面５６Ｂに接触した状態のままレール部７９で支持されて移動して、リジェクト孔８０の上方を通過して第２の搬送路５２側に移動する。つまり、進退部材７１は、リジェクト硬貨とそれ以外の硬貨とを振り分けるリジェクト硬貨振分部材である。
【００４６】
搬送面５５には、リジェクト孔８０に対し第２の搬送路５２とは反対側に、発光素子と受光素子とからなる硬貨検知センサ８１の一方の下側素子８１Ａが設けられている。また、この下側素子８１Ａの鉛直上方に、硬貨検知センサ８１を構成する図示略の他方の上側素子が設けられている。硬貨検知センサ８１は発光素子からの発光の受光素子による受光の有無で、搬送面５５上の硬貨検知センサ８１の位置に硬貨がないかあるかを検知する。
【００４７】
搬送面５５には、リジェクト孔８０に対し第２の搬送路５２とは反対側に、発光素子と受光素子とからなり搬送面５５上の硬貨の有無を検知する硬貨検知センサ８２の一方の下側素子８２Ａが設けられている。また、この下側素子８１Ａの鉛直上方に、硬貨検知センサ８２を構成する図示略の他方の上側素子が設けられている。硬貨検知センサ８２は、硬貨検知センサ８１よりも案内壁面５６Ｂからの距離が長くなっており、第１の搬送路５１の硬貨搬送方向における位置が、硬貨検知センサ８１よりも第２の搬送路５２とは反対側に若干ずれている。硬貨検知センサ８１，８２は、硬貨をリジェクト孔８０に落下させる際に進退部材７１の駆動のタイミングを計るタイミングセンサである。
【００４８】
搬送面５５には、リジェクト孔８０よりも第２の搬送路５２側に、発光素子と受光素子とからなり搬送面５５上の硬貨の有無を検知する硬貨検知センサ８３の一方の下側素子８３Ａが設けられている。また、この下側素子８３Ａの鉛直上方に、硬貨検知センサ８３を構成する図示略の他方の上側素子が設けられている。
【００４９】
搬送面５５には、リジェクト孔８０よりも第２の搬送路５２側に、発光素子と受光素子とからなり搬送面５５上の硬貨の有無を検知する硬貨検知センサ８４の一方の下側素子８４Ａが設けられている。また、この下側素子８４Ａの鉛直上方に、硬貨検知センサ８４を構成する図示略の他方の上側素子が設けられている。硬貨検知センサ８４は、硬貨検知センサ８３よりも案内壁面５６Ｂからの距離が長くなっており、硬貨検知センサ８３，８４は、第１の搬送路５１の硬貨搬送方向における位置を合わせている。硬貨検知センサ８３，８４は、硬貨検知センサ８１，８２とでリジェクト孔８０への硬貨の落下の有無を検知する。リジェクト孔８０、進退部材７１、中間部材７８、図示略のロータリソレノイド、硬貨検知センサ８１〜８４が、識別部３２の識別結果から金種識別不能で偽と識別された不良硬貨を搬送部３１から図１，図２に示すリジェクト箱１２にリジェクトするリジェクト部３３を構成している。
【００５０】
図３に示すように、無端搬送ベルト６２は、硬貨検知センサ８１と硬貨検知センサ８２との間に配置されており、硬貨検知センサ８３と硬貨検知センサ８４との間に配置されている。
【００５１】
図４に示すように、搬送壁面５７は、搬送面５５の案内壁面５６Ｂとは反対側から立ち上がる反対壁面５７Ａを有している。反対壁面５７Ａは、第１の搬送路５１における硬貨搬送方向の位置をリジェクト孔８０に合わせている。反対壁面５７Ａは、案内壁面５６Ｂと平行をなす面部５７ａと、面部５７ａの第２の搬送路５２側の端部から第２の搬送路５２側ほど案内壁面５６Ｂに近づくように傾斜して延出する面部５７ｂと、面部５７ｂの第２の搬送路５２側の端部から案内壁面５６Ｂと平行をなして延出する面部５７ｃとを有している。よって、面部５７ａと案内壁面５６Ｂとの距離よりも、面部５７ｃと案内壁面５６Ｂとの距離の方が短くなっている。
【００５２】
リジェクト孔８０に対し案内壁面５６Ｂとは反対側に、搬送面５５から硬貨Ｃを落下させることなく硬貨粉や塵埃、ゴミ等の異物を落下させる異物落下孔９１が、リジェクト孔８０とは別にリジェクト孔８０から離間して設けられている。異物落下孔９１は、搬送面５５に対し案内壁面５６Ｂとは反対側の反対壁面５７Ａまで設けられており、面部５７ａ及び面部５７ｂの両方にかかる位置に設けられている。言い換えれば、異物落下孔９１の第２の搬送路５２側には、第１の搬送路５１の通路幅方向の位置を重ね合わせて面部５７ｂが設けられている。
【００５３】
異物落下孔９１は、第１の搬送路５１における硬貨搬送方向の位置をリジェクト孔８０と重ね合わせており、第１の搬送路５１における通路幅方向にリジェクト孔８０と並んで配置されている。異物落下孔９１は、図４に示すように進退部材７１が第１の回転位置にある状態で案内壁面５６Ｂに接触する良好硬貨の最大径の硬貨Ｃここでは５００円硬貨から離れて、この最大径硬貨よりも案内壁面５６Ｂとは反対側に設けられている。また、異物落下孔９１は、図５に示すように進退部材７１が第２の回転位置にある状態で、この進退部材７１に接触して最も反対壁面５７Ａ側に位置した最大径硬貨Ｃと第１の搬送路５１における通路幅方向の位置を重ね合わせている。つまり、異物落下孔９１は、搬送面５５のうちリジェクト時にしか硬貨Ｃが通過しない領域に形成されており、リジェクト時にこの経路を移動する硬貨Ｃによって押圧された異物Ｉを落下させる。異物落下孔９１は、搬送面５５から異物Ｉを、機体１１から取り出し可能な図１，図２に示すリジェクト箱１２に落下させる。
【００５４】
図４に示すように、第１の搬送路５１は、案内壁面５６Ｂの第２の搬送路５２側に、搬送壁面５６の一部を構成する円弧状の下流壁面５６Ｃを有している。下流壁面５６Ｃは、案内壁面５６Ｂから離れるほど、第１の搬送路５１における通路幅方向の位置を反対壁面５７Ａ側に近づけるように傾斜している。
【００５５】
図３に示すように、第２の搬送路５２は、搬送面５５に繋がる搬送面９５と、搬送壁面５６に繋がる搬送壁面９６と、搬送壁面５７に繋がる搬送壁面９７とを有している。搬送面９５及び搬送壁面９６，９７も、硬貨を一列状に移動させる。
【００５６】
第２の搬送路５２は、搬送面９５の上方で搬送面９５の延在方向に沿って延びる無端搬送ベルト１０１を含む搬送ベルト機構１０３を有している。搬送ベルト機構１０３は、図６に示すように、搬送面９５の延在方向の両側に配置されるプーリ１０５及びプーリ１０６を有しており、これらプーリ１０５，１０６に無端搬送ベルト１０１が掛けられている。搬送ベルト機構１０３は、無端搬送ベルト１０１の搬送面９５に平行な下部の下辺部１０１Ａで硬貨を搬送面９５に押し付けながら搬送面９５上でスライドさせて第１の搬送路５１側から第１の搬送路５１とは反対方向に向けて搬送する。このときの無端搬送ベルト１０１の回転方向を正転とする。ここで、硬貨搬送方向上流側のプーリ１０５は下流側のプーリ１０６よりも径が小さく、よって、無端搬送ベルト１０１の上部の上辺部１０１Ｂは、第１の搬送路５１側よりも第１の搬送路５１とは反対側の方が搬送面９５からの高さが高くなるように傾斜している。
【００５７】
図３に示すように、第２の搬送路５２は、最も第１の搬送路５１側に、搬送壁面９７の一部を構成する円弧状の入口壁面９７Ａを有している。入口壁面９７Ａは、第１の搬送路５１の反対壁面５７Ａに繋がっており、反対壁面５７Ａから離れるほど、第２の搬送路５２における通路幅方向の位置を搬送壁面９６に近づけるように傾斜している。ここで、第１の搬送路５１の下流壁面５６Ｃの案内壁面５６Ｂとは反対側の端部位置と、入口壁面９７Ａの反対壁面５７Ａとは反対側の端部位置との間の、第２の搬送路５２における通路幅方向の距離は、最小径の１円硬貨の直径よりも小さくなっている。よって、搬送ベルト機構６３，１０３によって第１の搬送路５１から第２の搬送路５２に搬送される全ての硬貨は、外周面を入口壁面９７Ａに当接させる。これにより、入口壁面９７Ａは、これに接触した全ての硬貨について、第２の搬送路５２の通路幅方向の搬送壁面９７側の端部位置を揃える。
【００５８】
第２の搬送路５２は、入口壁面９７Ａに対し第１の搬送路５１とは反対側に、搬送壁面９７の一部を構成する直線状の案内壁面９７Ｂが設けられている。案内壁面９７Ｂは、入口壁面９７Ａと段差なく連続しており、よって、搬送ベルト機構１０３による搬送中、入口壁面９７Ａに接触した後の硬貨は、基本的に外周面を案内壁面９７Ｂに接触させながら第１の搬送路５１とは反対側に向けて移動する。よって、第２の搬送路５２は、硬貨を搬送壁面９７で案内しつつ搬送面９５上で移動させる。
【００５９】
案内壁面９７Ｂには、入口壁面９７Ａの近傍に、案内壁面９７Ｂから搬送面９５側に前進可能且つ案内壁面９７Ｂ側に後退可能なカム状の進退部材１１１が設けられている。進退部材１１１は、支持軸１１２を中心に回転するもので、外周側に平面状の退避面１１１Ａと円弧状の案内面１１１Ｂとを有している。進退部材１１１は、図示略のロータリソレノイドで所定の角度範囲で往復回転することにより、図３に示す第１の回転位置と、図示略の第２の回転位置とに位置する。
【００６０】
進退部材１１１は、図３に示す第１の回転位置に位置するとき、平面状の退避面１１１Ａが案内壁面９７Ｂと平行をなして案内壁面９７Ｂよりも若干搬送面９５とは反対側に位置することになる。進退部材１１１は、第１の回転位置に位置するとき、案内壁面９７Ｂよりも搬送面９５側に一切突出することはない。進退部材１１１は、第２の回転位置に位置するとき、平面状の退避面１１１Ａと円弧状の案内面１１１Ｂとが案内壁面９７Ｂよりも搬送面９５側に突出する。
【００６１】
搬送面９５には、硬貨を落下させる損貨選別孔１２１が進退部材１１１と硬貨搬送方向の位置を重ね合わせて設けられている。損貨選別孔１２１は、硬貨搬送方向の上流側に設けられた識別部３２で識別された良好硬貨のうちの全金種つまり１円〜５００硬貨の汚損硬貨を搬送面９５から落下させる。損貨選別孔１２１は、案内壁面９７Ｂから全体的に離間しており、よって、搬送面９５には、案内壁面９７Ｂと損貨選別孔１２１との間に損貨選別孔１２１に沿って延びるレール部１２０が設けられている。損貨選別孔１２１は、図３に示す第１の回転位置に位置する進退部材１１１からも全体的に離間している。他方で、第２の回転位置に位置する進退部材１１１に対しては、一部重なる。つまり、進退部材１１１は、損貨選別孔１２１から全体的に離間する第１の回転位置と、損貨選別孔１２１に一部重なり合う第２の回転位置とに位置が切り替えられる。損貨選別孔１２１は、進退部材１１１が案内壁面９７Ｂから前進した状態で進退部材１１１の案内面１１１Ｂに接触した硬貨を搬送面９５から落下させる一方、進退部材１１１が案内壁面９７Ｂ側に後退した状態では、硬貨を搬送面９５から落下させずに上方を通過させる。損貨選別孔１２１は、一時貯留部３６が図２に実線で示す第１の横方向位置にあるとき、この一時貯留部３６の汚損硬貨を受け入れる第１の貯留部３７に硬貨を落下させる。
【００６２】
図３に示すように、搬送面９５には、損貨選別孔１２１に対し第１の搬送路５１側に、発光素子と受光素子とからなり搬送面９５上の硬貨の有無を検知する硬貨検知センサ１２２の一方の下側素子１２２Ａが設けられている。また、この下側素子１２２Ａの鉛直上方に、硬貨検知センサ１２２を構成する図６に示す他方の上側素子１２２Ｂが設けられている。
【００６３】
図３に示すように、搬送面９５には、損貨選別孔１２１に対し第１の搬送路５１側に、発光素子と受光素子とからなり搬送面９５上の硬貨の有無を検知する硬貨検知センサ１２３の一方の下側素子１２３Ａが設けられている。また、この下側素子１２３Ａの鉛直上方に、硬貨検知センサ１２３を構成する図６に示す他方の上側素子１２３Ｂが設けられている。図３に示すように、硬貨検知センサ１２３は、硬貨検知センサ１２２よりも案内壁面９７Ｂからの距離が長くなっており、第２の搬送路５２の硬貨搬送方向における位置が、硬貨検知センサ１２２よりも第１の搬送路５１側に若干ずれている。硬貨検知センサ１２２，１２３は、無端搬送ベルト１０１に対して第２の搬送路５２の通路幅方向の両側に配置されており、損貨選別孔１２１に硬貨を落下させる際に進退部材１１１を駆動するタイミングを計るタイミングセンサとなっている。
【００６４】
図６に示すように、硬貨検知センサ１２３の上側素子１２３Ｂの近傍に、上側素子１２３Ｂの位置から無端搬送ベルト１０１の上辺部１０１Ｂよりも下側まで延出する規制部１２６が設けられている。規制部１２６は、例えば板状に形成されており、上側素子１２３Ｂよりも、無端搬送ベルト１０１が搬送面９５上で第１の搬送部５１から離れる方向に硬貨を搬送する正転時（図６に示す矢印参照）の上辺部１０１Ｂの移動方向における上流側に設けられている。規制部１２６は、この移動方向に上辺部１０１Ｂが移動する際に、それまで上辺部１０１Ｂに付着していて上辺部１０１Ｂから離れて上側素子１２３Ｂに向けて飛ぶ異物に当接して、この異物が上側素子１２３Ｂに付着するのを抑制して上側素子１２３Ｂの防塵を行う。硬貨検知センサ１２２の上側素子１２２Ｂの近傍にも、この上側素子１２２Ｂの防塵を行う同様の規制部１２５が設けられている。規制部１２５，１２６は、無端搬送ベルト１０１の上辺部１０１Ｂの両側に、間に上辺部１０１Ｂを挟むように設けられており、無端搬送ベルト１０１の上辺部１０１Ｂの横揺れをも規制する。
【００６５】
図３に示すように、搬送面９５には、最小径の第１の金種の硬貨つまり１円硬貨を落下させ、これよりも大径の硬貨を落下させずに上方を通過させる第１の金種選別孔１３１が損貨選別孔１２１の第１の搬送路５１とは反対側に設けられている。第１の金種選別孔１３１は、硬貨搬送方向の上流側に設けられた識別部３２で識別された良好硬貨のうちの最小径の１円硬貨の正常硬貨を搬送面９５から落下させる。第１の金種選別孔１３１は、案内壁面９７Ｂから全体的に所定距離離間しており、よって、搬送面９５には、案内壁面９７Ｂと第１の金種選別孔１３１との間に第１の金種選別孔１３１に沿って延びるレール部１３０が設けられている。第１の金種選別孔１３１は、案内壁面９７Ｂからの最大距離が、案内壁面９７Ｂに接触して移動する最小径の１円硬貨のみを落下させることが可能な距離となっている。第１の金種選別孔１３１は、一時貯留部３６が図２に実線で示す第１の横方向位置にあるとき、この一時貯留部３６の１円硬貨を受け入れる第２の貯留部３７に硬貨を落下させる。
【００６６】
図３に示すように、搬送面９５には、損貨選別孔１２１と第１の金種選別孔１３１との間に、発光素子と受光素子とからなり搬送面９５上の硬貨の有無を検知する硬貨検知センサ１３２の一方の下側素子１３２Ａが設けられている。また、この下側素子１３２Ａの鉛直上方であって無端搬送ベルト１０１の上辺部１０１Ｂの上方に、硬貨検知センサ１３２を構成する図８に示す他方の上側素子１３２Ｂが設けられている。
【００６７】
図３に示すように、搬送面９５には、損貨選別孔１２１と第１の金種選別孔１３１との間に、発光素子と受光素子とからなり搬送面９５上の硬貨の有無を検知する硬貨検知センサ１３３の一方の下側素子１３３Ａが設けられている。また、この下側素子１３３Ａの鉛直上方であって無端搬送ベルト１０１の上辺部１０１Ｂの上方に、硬貨検知センサ１３３を構成する図６〜図８に示す他方の上側素子１３３Ｂが設けられている。図３に示すように、硬貨検知センサ１３３は、硬貨検知センサ１３２よりも案内壁面９７Ｂからの距離が長くなっており、第２の搬送路５２の硬貨搬送方向における位置を硬貨検知センサ１３２と合わせている。硬貨検知センサ１３２，１３３は、無端搬送ベルト１０１に対して第２の搬送路５２の通路幅方向の両側に配置されており、硬貨検知センサ１２２，１２３とで、間にある損貨選別孔１２１に落下した硬貨の数を計数する。
【００６８】
図６に示すように、硬貨検知センサ１３３の上側素子１３３Ｂの近傍に、上側素子１３３Ｂの位置から無端搬送ベルト１０１の上辺部１０１Ｂよりも下側まで延出する規制部１３６が設けられている。規制部１３６は、例えば板状に形成されており、上側素子１３３Ｂよりも、正転時の無端搬送ベルト１０１の上辺部１０１Ｂの移動方向における上流側に設けられている。規制部１３６は、この移動方向に上辺部１０１Ｂが移動する際に、上辺部１０１Ｂから上側素子１３３Ｂに向けて飛ぶ異物に当接して、この異物が上側素子１３３Ｂに付着するのを抑制して上側素子１３３Ｂの防塵を行う。図８に示す硬貨検知センサ１３２の上側素子１３２Ｂの近傍にも、この上側素子１３２Ｂの防塵を行う同様の規制部１３５が、規制部１３６と第２の搬送路５２の硬貨搬送方向の位置を合わせて設けられている。規制部１３５，１３６は、無端搬送ベルト１０１の上辺部１０１Ｂの両側に、間に上辺部１０１Ｂを挟むように設けられており、無端搬送ベルト１０１の上辺部１０１Ｂの横揺れをも規制する。
【００６９】
図３に示すように、搬送面９５には、第１の金種選別孔１３１と同様の構造であって第２の金種の硬貨つまり５０円硬貨を落下させる第２の金種選別孔１４１が、第１の金種選別孔１３１の損貨選別孔１２１とは反対側に設けられている。搬送面９５には、案内壁面９７Ｂと第２の金種選別孔１４１との間にレール部１４０が設けられている。第２の金種選別孔１４１は、一時貯留部３６が図２に実線で示す第１の横方向位置にあるとき、この一時貯留部３６の５０円硬貨を受け入れる第３の貯留部３７に硬貨を落下させる。
【００７０】
図３に示すように、搬送面９５には、第１の金種選別孔１３１と第２の金種選別孔１４１との間に、発光素子と受光素子とからなり搬送面９５上の硬貨の有無を検知する硬貨検知センサ１４２の一方の下側素子１４２Ａが設けられている。また、この下側素子１４２Ａの鉛直上方であって無端搬送ベルト１０１の上辺部１０１Ｂの上方に、硬貨検知センサ１４２を構成する図示略の他方の上側素子が設けられている。
【００７１】
搬送面９５には、第１の金種選別孔１３１と第２の金種選別孔１４１との間に、発光素子と受光素子とからなり搬送面９５上の硬貨の有無を検知する硬貨検知センサ１４３の一方の下側素子１４３Ａが設けられている。また、この下側素子１４３Ａの鉛直上方であって無端搬送ベルト１０１の上辺部１０１Ｂの上方に、硬貨検知センサ１４３を構成する図６に示す他方の上側素子１４３Ｂが設けられている。図３に示すように、硬貨検知センサ１４３は、硬貨検知センサ１４２よりも案内壁面９７Ｂからの距離が長くなっており、第２の搬送路５２の硬貨搬送方向における位置を硬貨検知センサ１４２と合わせている。硬貨検知センサ１４２，１４３は、無端搬送ベルト１０１に対して第２の搬送路５２の通路幅方向の両側に配置されており、硬貨検知センサ１３２，１３３とで、間にある第１の金種選別孔１３１に落下した硬貨の数を計数する。
【００７２】
図６に示すように、硬貨検知センサ１４３の上側素子１４３Ｂの近傍に、上側素子１４３Ｂの位置から無端搬送ベルト１０１の上辺部１０１Ｂよりも下側まで延出する規制部１４６が設けられている。規制部１４６は、例えば板状に形成されており、上側素子１４３Ｂよりも、正転時の無端搬送ベルト１０１の上辺部１０１Ｂの移動方向における上流側に設けられている。規制部１４６は、この移動方向に上辺部１０１Ｂが移動する際に、上辺部１０１Ｂから上側素子１４３Ｂに向けて飛ぶ異物に当接して、この異物が上側素子１４３Ｂに付着するのを抑制して上側素子１４３Ｂの防塵を行う。図３に示す硬貨検知センサ１４２の図示略の上側素子の近傍にも、図６に示す規制部１４６や図８に示す硬貨検知センサ１３２の規制部１３５と同様に、この上側素子の防塵を行う図示略の規制部が、規制部１４６と第２の搬送路５２の硬貨搬送方向の位置を合わせて設けられている。この図示略の規制部と規制部１４６とは、図８に示す硬貨検知センサ１３２，１３３の規制部１３５，１３６と同様に、無端搬送ベルト１０１の上辺部１０１Ｂの両側に、間に上辺部１０１Ｂを挟むように設けられており、無端搬送ベルト１０１の上辺部１０１Ｂの横揺れをも規制する。
【００７３】
図３に示すように、搬送面９５には、第１の金種選別孔１３１と同様の構造であって第３の金種の硬貨つまり５円硬貨を落下させる第３の金種選別孔１５１が、第２の金種選別孔１４１の第１の金種選別孔１３１とは反対側に設けられている。搬送面９５には、案内壁面９７Ｂと第３の金種選別孔１５１との間にレール部１５０が設けられている。第３の金種選別孔１５１は、一時貯留部３６が図２に実線で示す第１の横方向位置にあるとき、この一時貯留部３６の５円硬貨を受け入れる第４の貯留部３７に硬貨を落下させる。
【００７４】
図３に示すように、搬送面９５には、第２の金種選別孔１４１と第３の金種選別孔１５１との間に、発光素子と受光素子とからなり搬送面９５上の硬貨の有無を検知する硬貨検知センサ１５２の一方の下側素子１５２Ａが設けられている。また、この下側素子１５２Ａの鉛直上方であって無端搬送ベルト１０１の上辺部１０１Ｂの上方に、硬貨検知センサ１５２を構成する図示略の他方の上側素子が設けられている。
【００７５】
搬送面９５には、第２の金種選別孔１４１と第３の金種選別孔１５１との間に、発光素子と受光素子とからなり搬送面９５上の硬貨の有無を検知する硬貨検知センサ１５３の一方の下側素子１５３Ａが設けられている。また、この下側素子１５３Ａの鉛直上方であって無端搬送ベルト１０１の上辺部１０１Ｂの上方に、硬貨検知センサ１５３を構成する図６に示す他方の上側素子１５３Ｂが設けられている。図３に示すように、硬貨検知センサ１５３は、硬貨検知センサ１５２よりも案内壁面９７Ｂからの距離が長くなっており、第２の搬送路５２の硬貨搬送方向における位置を硬貨検知センサ１５２と合わせている。硬貨検知センサ１５２，１５３は、無端搬送ベルト１０１に対して第２の搬送路５２の通路幅方向の両側に配置されており、硬貨検知センサ１４２，１４３とで、間にある第２の金種選別孔１４１に落下した硬貨の数を計数する。
【００７６】
図６に示すように、硬貨検知センサ１５３の上側素子１５３Ｂの近傍に、上側素子１５３Ｂの位置から無端搬送ベルト１０１の上辺部１０１Ｂよりも下側まで延出する規制部１５６が設けられている。規制部１５６は、例えば板状に形成されており、上側素子１５３Ｂよりも、正転時の無端搬送ベルト１０１の上辺部１０１Ｂの移動方向における上流側に設けられている。規制部１５６は、この移動方向に上辺部１０１Ｂが移動する際に、上辺部１０１Ｂから上側素子１５３Ｂに向けて飛ぶ異物に当接して、この異物が上側素子１５３Ｂに付着するのを抑制して上側素子１５３Ｂの防塵を行う。図３に示す硬貨検知センサ１５２の図示略の上側素子の近傍にも、図６に示す規制部１５６や図８に示す硬貨検知センサ１３２の規制部１３５と同様に、この上側素子の防塵を行う図示略の規制部が、規制部１５６と第２の搬送路５２の硬貨搬送方向の位置を合わせて設けられている。この図示略の規制部と規制部１５６とは、図８に示す硬貨検知センサ１３２，１３３の規制部１３５，１３６と同様に、無端搬送ベルト１０１の上辺部１０１Ｂの両側に、間に上辺部１０１Ｂを挟むように設けられており、無端搬送ベルト１０１の上辺部１０１Ｂの横揺れをも規制する。
【００７７】
図３に示すように、搬送面９５には、第１の金種選別孔１３１と同様の構造であって第４の金種の硬貨つまり１００円硬貨を落下させる第４の金種選別孔１６１が、第３の金種選別孔１５１の第２の金種選別孔１４１とは反対側に設けられている。搬送面９５には、案内壁面９７Ｂと第４の金種選別孔１６１との間にレール部１６０が設けられている。第４の金種選別孔１６１は、一時貯留部３６が図２に実線で示す第１の横方向位置にあるとき、この一時貯留部３６の１００円硬貨を受け入れる第５の貯留部３７に硬貨を落下させる。
【００７８】
図３に示すように、搬送面９５には、第３の金種選別孔１５１と第４の金種選別孔１６１との間に、発光素子と受光素子とからなり搬送面９５上の硬貨の有無を検知する硬貨検知センサ１６２の一方の下側素子１６２Ａが設けられている。また、この下側素子１６２Ａの鉛直上方であって無端搬送ベルト１０１の上辺部１０１Ｂの上方に、硬貨検知センサ１６２を構成する図示略の他方の上側素子が設けられている。
【００７９】
搬送面９５には、第３の金種選別孔１５１と第４の金種選別孔１６１との間に、発光素子と受光素子とからなり搬送面９５上の硬貨の有無を検知する硬貨検知センサ１６３の一方の下側素子１６３Ａが設けられている。また、この下側素子１６３Ａの鉛直上方であって無端搬送ベルト１０１の上辺部１０１Ｂの上方に、硬貨検知センサ１６３を構成する図６に示す他方の上側素子１６３Ｂが設けられている。図３に示すように、硬貨検知センサ１６３は、硬貨検知センサ１６２よりも案内壁面９７Ｂからの距離が長くなっており、第２の搬送路５２の硬貨搬送方向における位置を硬貨検知センサ１６２と合わせている。硬貨検知センサ１６２，１６３は、無端搬送ベルト１０１に対して第２の搬送路５２の通路幅方向の両側に配置されており、硬貨検知センサ１５２，１５３とで、間にある第３の金種選別孔１５１に落下した硬貨の数を計数する。
【００８０】
図６に示すように、硬貨検知センサ１６３の上側素子１６３Ｂの近傍に、上側素子１６３Ｂの位置から無端搬送ベルト１０１の上辺部１０１Ｂよりも下側まで延出する規制部１６６が設けられている。規制部１６６は、例えば板状に形成されており、上側素子１６３Ｂよりも、正転時の無端搬送ベルト１０１の上辺部１０１Ｂの移動方向における上流側に設けられている。規制部１６６は、この移動方向に上辺部１０１Ｂが移動する際に、上辺部１０１Ｂから上側素子１６３Ｂに向けて飛ぶ異物に当接して、この異物が上側素子１６３Ｂに付着するのを抑制して上側素子１６３Ｂの防塵を行う。図３に示す硬貨検知センサ１６２の図示略の上側素子の近傍にも、図６に示す規制部１６６や図８に示す硬貨検知センサ１３２の規制部１３５と同様に、この上側素子の防塵を行う図示略の規制部が、規制部１６６と第２の搬送路５２の硬貨搬送方向の位置を合わせて設けられている。この図示略の規制部と規制部１６６とは、図８に示す硬貨検知センサ１３２，１３３の規制部１３５，１３６と同様に、無端搬送ベルト１０１の上辺部１０１Ｂの両側に、間に上辺部１０１Ｂを挟むように設けられており、無端搬送ベルト１０１の上辺部１０１Ｂの横揺れをも規制する。
【００８１】
図３に示すように、搬送面９５には、第１の金種選別孔１３１と同様の構造であって第５の金種の硬貨つまり１０円硬貨を落下させる第５の金種選別孔１７１が、第４の金種選別孔１６１の第３の金種選別孔１５１とは反対側に設けられている。搬送面９５には、案内壁面９７Ｂと第５の金種選別孔１７１との間にレール部１７０が設けられている。第５の金種選別孔１７１は、一時貯留部３６が図２に実線で示す第１の横方向位置にあるとき、この一時貯留部３６の１０円硬貨を受け入れる第６の貯留部３７に硬貨を落下させる。
【００８２】
図３に示すように、搬送面９５には、第４の金種選別孔１６１と第５の金種選別孔１７１との間に、発光素子と受光素子とからなり搬送面９５上の硬貨の有無を検知する硬貨検知センサ１７２の一方の下側素子１７２Ａが設けられている。また、この下側素子１７２Ａの鉛直上方であって無端搬送ベルト１０１の上辺部１０１Ｂの上方に、硬貨検知センサ１７２を構成する図示略の他方の上側素子が設けられている。
【００８３】
搬送面９５には、第４の金種選別孔１６１と第５の金種選別孔１７１との間に、発光素子と受光素子とからなり搬送面９５上の硬貨の有無を検知する硬貨検知センサ１７３の一方の下側素子１７３Ａが設けられている。また、この下側素子１７３Ａの鉛直上方であって無端搬送ベルト１０１の上辺部１０１Ｂの上方に、硬貨検知センサ１７３を構成する図６に示す他方の上側素子１７３Ｂが設けられている。図３に示すように、硬貨検知センサ１７３は、硬貨検知センサ１７２よりも案内壁面９７Ｂからの距離が長くなっており、第２の搬送路５２の硬貨搬送方向における位置を硬貨検知センサ１７２と合わせている。硬貨検知センサ１７２，１７３は、無端搬送ベルト１０１に対して第２の搬送路５２の通路幅方向の両側に配置されており、硬貨検知センサ１６２，１６３とで、間にある第４の金種選別孔１６１に落下した硬貨の数を計数する。
【００８４】
図６に示すように、硬貨検知センサ１７３の上側素子１７３Ｂの近傍に、上側素子１７３Ｂの位置から無端搬送ベルト１０１の上辺部１０１Ｂよりも下側まで延出する規制部１７６が設けられている。規制部１７６は、例えば板状に形成されており、上側素子１７３Ｂよりも、正転時の無端搬送ベルト１０１の上辺部１０１Ｂの移動方向における上流側に設けられている。規制部１７６は、この移動方向に上辺部１０１Ｂが移動する際に、上辺部１０１Ｂから上側素子１７３Ｂに向けて飛ぶ異物に当接して、この異物が上側素子１７３Ｂに付着するのを抑制して上側素子１７３Ｂの防塵を行う。図３に示す硬貨検知センサ１７２の図示略の上側素子の近傍にも、図６に示す規制部１７６や図８に示す硬貨検知センサ１３２の規制部１３５と同様に、この上側素子の防塵を行う図示略の規制部が、規制部１７６と第２の搬送路５２の硬貨搬送方向の位置を合わせて設けられている。この図示略の規制部と規制部１７６とは、図８に示す硬貨検知センサ１３２，１３３の規制部１３５，１３６と同様に、無端搬送ベルト１０１の上辺部１０１Ｂの両側に、間に上辺部１０１Ｂを挟むように設けられており、無端搬送ベルト１０１の上辺部１０１Ｂの横揺れをも規制する。
【００８５】
図３に示すように、搬送面９５には、第１の金種選別孔１３１と同様の構造であって第６の金種の硬貨つまり５００円硬貨を落下させる第６の金種選別孔１８１が、第５の金種選別孔１７１の第４の金種選別孔１６１とは反対側に設けられている。第６の金種選別孔１８１は、一時貯留部３６が図２に実線で示す第１の横方向位置にあるとき、この一時貯留部３６の５００円硬貨を受け入れる第７の貯留部３７に硬貨を落下させる。
【００８６】
図３に示すように、搬送面９５には、第５の金種選別孔１７１と第６の金種選別孔１８１との間に、発光素子と受光素子とからなり搬送面９５上の硬貨の有無を検知する硬貨検知センサ１８２の一方の下側素子１８２Ａが設けられている。また、この下側素子１８２Ａの鉛直上方であって無端搬送ベルト１０１の上辺部１０１Ｂの上方に、硬貨検知センサ１８２を構成する図示略の他方の上側素子が設けられている。
【００８７】
搬送面９５には、第５の金種選別孔１７１と第６の金種選別孔１８１との間に、発光素子と受光素子とからなり搬送面９５上の硬貨の有無を検知する硬貨検知センサ１８３の一方の下側素子１８３Ａが設けられている。また、この下側素子１８３Ａの鉛直上方であって無端搬送ベルト１０１の上辺部１０１Ｂの上方に、硬貨検知センサ１８３を構成する図６に示す他方の上側素子１８３Ｂが設けられている。図３に示すように、硬貨検知センサ１８３は、硬貨検知センサ１８２よりも案内壁面９７Ｂからの距離が長くなっており、第２の搬送路５２の硬貨搬送方向における位置を硬貨検知センサ１８２と合わせている。硬貨検知センサ１８２，１８３は、無端搬送ベルト１０１に対して第２の搬送路５２の通路幅方向の両側に配置されており、硬貨検知センサ１７２，１７３とで、間にある第５の金種選別孔１７１に落下した硬貨の数を計数する。また、硬貨検知センサ１８２，１８３は、第６の金種選別孔１８１に落下した硬貨の数を計数する。
【００８８】
図６に示すように、硬貨検知センサ１８３の上側素子１８３Ｂの近傍に、上側素子１８３Ｂの位置から無端搬送ベルト１０１の上辺部１０１Ｂよりも下側まで延出する規制部１８６が設けられている。規制部１８６は、例えば板状に形成されており、上側素子１８３Ｂよりも、正転時の無端搬送ベルト１０１の上辺部１０１Ｂの移動方向における上流側に設けられている。規制部１８６は、この移動方向に上辺部１０１Ｂが移動する際に、上辺部１０１Ｂから上側素子１８３Ｂに向けて飛ぶ異物に当接して、この異物が上側素子１８３Ｂに付着するのを抑制して上側素子１８３Ｂの防塵を行う。図３に示す硬貨検知センサ１８２の図示略の上側素子の近傍にも、図６に示す規制部１８６や図８に示す硬貨検知センサ１３２の規制部１３５と同様に、この上側素子の防塵を行う図示略の規制部が、規制部１８６と第２の搬送路５２の硬貨搬送方向の位置を合わせて設けられている。この図示略の規制部と規制部１８６とは、図８に示す硬貨検知センサ１３２，１３３の規制部１３５，１３６と同様に、無端搬送ベルト１０１の上辺部１０１Ｂの両側に、間に上辺部１０１Ｂを挟むように設けられており、無端搬送ベルト１０１の上辺部１０１Ｂの横揺れをも規制する。
【００８９】
硬貨検知センサ１３２の上側素子１３２Ｂ及び硬貨検知センサ１３３の上側素子１３３Ｂと、これらの防塵を行う規制部１３５及び規制部１３６の取付構造と、硬貨検知センサ１４２の図示略の上側素子及び硬貨検知センサ１４３の上側素子１４３Ｂと、これらの防塵を行う図示略の規制部及び規制部１４６の取付構造と、硬貨検知センサ１５２の図示略の上側素子及び硬貨検知センサ１５３の上側素子１５３Ｂと、これらの防塵を行う図示略の規制部及び規制部１５６の取付構造とは、同様になっている。また、硬貨検知センサ１６２の図示略の上側素子及び硬貨検知センサ１６３の上側素子１６３Ｂと、これらの防塵を行う図示略の規制部及び規制部１６６の取付構造と、硬貨検知センサ１７２の図示略の上側素子及び硬貨検知センサ１７３の上側素子１７３Ｂと、これらの防塵を行う図示略の規制部及び規制部１７６の取付構造と、硬貨検知センサ１８２の図示略の上側素子及び硬貨検知センサ１８３の上側素子１８３Ｂと、これらの防塵を行う図示略の規制部及び規制部１８６の取付構造も、同様になっている。
【００９０】
このため、図８等を参照して、硬貨検知センサ１３２の上側素子１３２Ｂ及び硬貨検知センサ１３３の上側素子１３３Ｂと、これらの防塵を行う規制部１３５及び規制部１３６の取付構造とを例にとり説明する。
【００９１】
規制部１３５，１３６は、共通の基板部１９１から延出しており、基板部１９１とで規制部材１９２を構成している。規制部材１９２は、その取付先である取付部１９３に基板部１９１を載置させており、この状態で、基板部１９１が、上側素子１３２Ｂ，１３３Ｂを一体に有する上側素子ユニット１９５と共に取付部１９３にネジ１９６で共締めされている。基板部１９１には、上側素子１３２Ｂを下方に露出させる貫通孔１９８と、上側素子１３３Ｂを下方に露出させる貫通孔１９９とが形成されており、取付部１９３には、規制部１５５を挿通させるとともに、上側素子１３２Ｂを更に下方に露出させる貫通孔２００と、規制部１５６を挿通させるとともに、上側素子１３３Ｂを更に下方に露出させる貫通孔２０１とが形成されている。
【００９２】
ここで、上記した進退部材１１１、図示略のロータリソレノイド、損貨選別孔１２１、硬貨検知センサ１２２，１２３，１３２，１３３，１４２，１４３，１５２，１５３，１６２，１６３，１７２，１７３，１８２，１８３及び金種選別孔１３１，１４１，１５１，１６１，１７１，１８１が、識別部３２の識別結果から真と識別された良好硬貨を汚損硬貨と正常硬貨とに振り分け、正常硬貨については更に金種別に振り分ける金種等振分部３５を構成している。そして、搬送部３１の搬送面５５，９５には、硬貨を落下させずに異物を機外に取り出し可能に落下させる孔が、異物落下孔９１以外には設けられていない。
【００９３】
次に、硬貨処理機１の主な作動を処理別に説明する。
【００９４】
「選別計数返却処理」
表示操作部６に、バラ硬貨の選別計数を行って返却する選別計数返却処理の操作入力がなされると、まず、硬貨処理機１は選別計数処理を行う。つまり、図示略の制御部が、投入口シャッタ機構２０を開く。すると、投入口５からホッパ２５に操作者により硬貨が投入されることになる。その後、表示操作部６にスタート操作が入力されると、制御部は、投入口シャッタ機構２０を閉じ、ホッパ２５内の硬貨を供給盤２６によって適量ずつ回転盤２７に供給させることになり、供給された硬貨を回転盤２７及び分離部材４１によって１枚ずつ繰り出し搬送部３１の第１の搬送路５１によって搬送させる。つまり、搬送面５５上に繰り出された硬貨を搬送ベルト機構６３によって搬送面５５上でスライドさせて移動させる。
【００９５】
この第１の搬送路５１での搬送中に識別部３２が硬貨の真偽、金種及び汚損（正損）を識別し、真と識別された良好硬貨を、金種別に正損それぞれについて計数し、制御部は、この識別結果に基づいて偽と識別された不良硬貨をリジェクト部３３でリジェクト箱１２へ落下させる。つまり、識別部３２で識別後の硬貨は、外周面が案内壁面５６Ｂに接触する状態となり、この状態で移動する。このように移動する硬貨のうち、不良硬貨を硬貨検知センサ８１，８２で検知したタイミングに基づいて、図５に示すように、進退部材７１を突出させる。すると、案内壁面５６Ｂに接触した状態で移動していた不良硬貨Ｃが進退部材７１で案内されて案内壁面５６Ｂ及びレール部７９から離間する。そして、不良硬貨Ｃは、この状態のまま更に移動して、リジェクト孔８０から自重で落下する。
【００９６】
このように搬送面５５で硬貨Ｃが移動するとき、搬送面５５上に異物があった場合、搬送される硬貨Ｃに押されてリジェクト孔８０に向けて移動する異物はリジェクト孔８０からリジェクト箱１２に落下することになり、搬送される硬貨Ｃに押されてリジェクト孔８０よりも案内壁面５６Ｂとは反対側で移動する異物Ｉが異物落下孔９１からリジェクト箱１２に落下する。
【００９７】
他方、識別部３２で真と識別された良好硬貨Ｃは、図４に示すように、案内壁面５６Ｂに接触した状態のままレール部７９上を移動して、リジェクト孔８０を上方で通過し、第１の搬送路５１から第２の搬送路５２に移動する。第２の搬送路５２では、良好硬貨を搬送し、金種等振分部３５で汚損硬貨と正常硬貨とに振り分け、正常硬貨については更に金種別に振り分ける。つまり、第１の搬送路５１から第２の搬送路５２に移動した硬貨は、案内壁面９７Ｂに接触した状態で搬送面９５上を移動する。このように移動する硬貨のうち、汚損硬貨を、硬貨検知センサ１２２，１２３で検知したタイミングに基づいて、進退部材１１１を突出させる。すると、案内壁面９７Ｂに接触した状態で移動していた汚損硬貨が進退部材１１１で案内されて案内壁面９７Ｂ及びレール部１２０から離間する。そして、汚損硬貨は、この状態のまま更に移動して、損貨選別孔１２１から、第１の横方向位置にある一時貯留部３６の第１の貯留部３７に落下する。
【００９８】
他方、正常硬貨は、案内壁面９７Ｂに接触した状態のままレール部１２０上を移動して、１円硬貨が、第１の金種選別孔１３１から、第１の横方向位置にある一時貯留部３６の第２の貯留部３７に、５０円硬貨が、第２の金種選別孔１４１から一時貯留部３６の第３の貯留部３７に、５円硬貨が、第３の金種選別孔１５１から一時貯留部３６の第４の貯留部３７に、１００円硬貨が、第４の金種選別孔１６１から一時貯留部３６の第５の貯留部３７に、１０円硬貨が、第５の金種選別孔１７１から一時貯留部３６の第６の貯留部３７に、５００円硬貨が、第６の金種選別孔１８１から一時貯留部３６の第７の貯留部３７に、それぞれ自重により落下する。制御部は、供給盤２６の硬貨がすべてリジェクト箱１２及び第１の横方向位置にある一時貯留部３６に振り分けられた状態になると、今回の選別計数処理における識別部３２の識別結果に基づいて良好硬貨と識別された硬貨の総額、金種別の正常硬貨及び汚損硬貨の金種別の枚数等を表示操作部６に表示させて、選別計数処理を終了する。
【００９９】
ここで、このように搬送面９５で硬貨が移動するとき、搬送面９５上に異物があった場合、搬送される硬貨に押されて損貨選別孔１２１に向けて移動する異物は損貨選別孔１２１から第１の貯留部３７に落下することになり、搬送される硬貨に押されて第１の金種選別孔１３１に向けて移動する異物は第１の金種選別孔１３１から第２の貯留部３７に落下することになり、搬送される硬貨に押されて第２の金種選別孔１４１に向けて移動する異物は第２の金種選別孔１４１から第３の貯留部３７に落下することになり、搬送される硬貨に押されて第３の金種選別孔１５１に向けて移動する異物は第３の金種選別孔１５１から第４の貯留部３７に落下することになり、搬送される硬貨に押されて第４の金種選別孔１６１に向けて移動する異物は第４の金種選別孔１６１から第５の貯留部３７に落下することになり、搬送される硬貨に押されて第５の金種選別孔１７１に向けて移動する異物は第５の金種選別孔１７１から第６の貯留部３７に落下することになり、搬送される硬貨に押されて第６の金種選別孔１８１に向けて移動する異物は第６の金種選別孔１８１から第７の貯留部３７に落下することになる。
【０１００】
また、搬送面９５上で硬貨を移動させる際に無端搬送ベルト１０１の上辺部１０１Ｂから上側素子１２２Ｂに向けて飛ぶ異物があっても、その上側素子１２２Ｂへの付着を規制部１２５が規制し、同様に、上辺部１０１Ｂからの異物の上側素子１２３Ｂへの付着を規制部１２６が規制する。同様に、上辺部１０１Ｂからの異物の上側素子１３２Ｂへの付着を規制部１３５が規制し、上辺部１０１Ｂからの異物の上側素子１３３Ｂへの付着を規制部１３６が規制する。同様に、上辺部１０１Ｂからの異物の硬貨検知センサ１４２の図示略の上側素子への付着を図示略の規制部が規制し、上辺部１０１Ｂからの異物の上側素子１４３Ｂへの付着を規制部１４６が規制する。同様に、上辺部１０１Ｂからの異物の硬貨検知センサ１５２の図示略の上側素子への付着を図示略の規制部が規制し、上辺部１０１Ｂからの異物の上側素子１５３Ｂへの付着を規制部１５６が規制する。同様に、上辺部１０１Ｂからの異物の硬貨検知センサ１６２の図示略の上側素子への付着を図示略の規制部が規制し、上辺部１０１Ｂからの異物の上側素子１６３Ｂへの付着を規制部１６６が規制する。同様に、上辺部１０１Ｂからの異物の硬貨検知センサ１７２の図示略の上側素子への付着を図示略の規制部が規制し、上辺部１０１Ｂからの異物の上側素子１７３Ｂへの付着を規制部１７６が規制する。同様に、上辺部１０１Ｂからの異物の硬貨検知センサ１８２の図示略の上側素子への付着を図示略の規制部が規制し、上辺部１０１Ｂからの異物の上側素子１８３Ｂへの付着を規制部１８６が規制する。
【０１０１】
選別計数処理後、硬貨処理機１は返却処理を行う。すなわち、制御部は、一時貯留部３６を基本の第１の横方向位置に位置させた状態のまま、一時貯留部３６の貯留部３７に分類して収納されていた硬貨を、分類状態のまま、返却箱１３に落下させる。
【０１０２】
つまり、全金種の汚損硬貨を、一時貯留部３６の第１の貯留部３７から返却箱１３の第１の受入部１５に、１円硬貨の正常硬貨を、一時貯留部３６の第２の貯留部３７から返却箱１３の第２の受入部１５に、５０円硬貨の正常硬貨を、一時貯留部３６の第３の貯留部３７から返却箱１３の第３の受入部１５に、５円硬貨の正常硬貨を、一時貯留部３６の第４の貯留部３７から返却箱１３の第４の受入部１５に、１００円硬貨の正常硬貨を、一時貯留部３６の第５の貯留部３７から返却箱１３の第５の受入部１５に、１０円硬貨の正常硬貨を、一時貯留部３６の第６の貯留部３７から返却箱１３の第６の受入部１５に、５００円硬貨の正常硬貨を、一時貯留部３６の第７の貯留部３７から返却箱１３の第７の受入部１５に、それぞれ落下させる。制御部は、今回の選別計数処理における識別部３２の識別結果に基づいて良好硬貨と識別された硬貨の総額、金種別の正常硬貨及び金種別の汚損硬貨の枚数等を記憶して、返却処理を終了し、選別計数返却処理を終了する。
【０１０３】
「選別計数収納処理」
表示操作部６に、バラ硬貨の選別計数を行って収納する選別計数収納処理の操作入力がなされると、まず、硬貨処理機１は、上記と同様の選別計数処理を行う。そして、選別計数処理後、硬貨処理機１は収納処理を行う。すなわち、制御部は、一時貯留部３６を第２の横方向位置に移動させて、一時貯留部３６の貯留部３７に分類して収納されていた硬貨を、分類状態のまま、収納部１４に落下させる。
【０１０４】
つまり、全金種の汚損硬貨を、一時貯留部３６の第１の貯留部３７から収納部１４の第１の収納庫１７に、１円硬貨の正常硬貨を、一時貯留部３６の第２の貯留部３７から収納部１４の第２の収納庫１７に、５０円硬貨の正常硬貨を、一時貯留部３６の第３の貯留部３７から収納部１４の第３の収納庫１７に、５円硬貨の正常硬貨を、一時貯留部３６の第４の貯留部３７から収納部１４の第４の収納庫１７に、１００円硬貨の正常硬貨を、一時貯留部３６の第５の貯留部３７から収納部１４の第５の収納庫１７に、１０円硬貨の正常硬貨を、一時貯留部３６の第６の貯留部３７から収納部１４の第６の収納庫１７に、５００円硬貨の正常硬貨を、一時貯留部３６の第７の貯留部３７から収納部１４の第７の収納庫１７に、それぞれ落下させる。制御部は、今回の選別計数処理における識別部３２の識別結果に基づいて良好硬貨と識別された硬貨の総額、金種別の正常硬貨及び金種別の汚損硬貨の枚数等を記憶して、収納処理を終了し、選別計数収納処理を終了する。
【０１０５】
以上に述べた実施形態によれば、搬送面５５上の異物のうち、搬送される硬貨に押されてリジェクト孔８０に向けて移動する異物はリジェクト孔８０に落下し、これに加えて、図５に示すように、搬送される硬貨Ｃに押されてリジェクト孔８０よりも案内壁面５６Ｂとは反対側で移動する異物Ｉが異物落下孔９１から落下する。よって、より多くの異物を搬送面５５から排除することができる。したがって、異物の影響を抑制することができる。よって、例えば、硬貨検知センサ８１〜８４，１２２，１２３，１３２，１３３，１４２，１４３，１５２，１５３，１６２，１６３，１７２，１７３，１８２，１８３に異物が付着することを抑制できるため、これらの検知精度が低下することを抑制できる。また、例えば、異物に起因して硬貨に生じるジャムの発生を抑制することができる。
【０１０６】
また、異物落下孔９１が、搬送面５５に対し案内壁面５６Ｂとは反対側の反対壁面５７Ａまで設けられているため、より広範囲の異物Ｉを落下させることができる。したがって、異物の影響を、より抑制することができる。
【０１０７】
また、異物落下孔９１は、図５に示すように、案内壁面５６Ｂから前進した状態の進退部材７１に接触する硬貨Ｃと硬貨搬送方向に対し直交する通路幅方向の位置を重ね合わせているため、案内壁面５６Ｂから前進した状態の進退部材７１に接触する硬貨Ｃで押される異物Ｉを、より良好に落下させることができる。したがって、異物の影響を、より抑制することができる。
【０１０８】
また、リジェクト孔８０は、機体１１から取り出し可能なリジェクト箱１２に硬貨を落下させ、異物落下孔９１も、リジェクト箱１２に異物を落下させるため、リジェクト箱１２を機体１１から取り出すことで、硬貨と共に異物も容易に取り出すことができる。よって、異物の機外排除作業が容易となる。
【０１０９】
また、硬貨搬送方向の上流側に設けられた識別部３２で識別された不良硬貨を機外に排除するリジェクト孔８０は、投入口５に近いことから、その周辺に異物が存在する可能性が高くなる。よって、このリジェクト孔８０に並べて異物落下孔９１を設けることにより、異物を更に効果的に搬送面５５から落下させることができる。したがって、異物の影響を、より抑制することができる。
【０１１０】
また、硬貨及び硬貨以外の異物のうち、異物のみを落下させる孔が、異物落下孔９１以外に設けられていないため、製造コストの増大を抑制することができる。
【０１１１】
また、例えば、無端搬送ベルト１０１の上辺部１０１Ｂの移動方向の硬貨検知センサ１３２の上側素子１３２Ｂよりも上流側に設けられた規制部１３５が、移動する上辺部１０１Ｂから上側素子１３２Ｂに向けて飛ぶ異物に当接するため、異物の上側素子１３２Ｂへの付着を抑制することができる。同様に、無端搬送ベルト１０１の上辺部１０１Ｂの移動方向の硬貨検知センサ１３３の上側素子１３３Ｂよりも上流側に設けられた規制部１３６が、移動する上辺部１０１Ｂから上側素子１３３Ｂに向けて飛ぶ異物に当接するため、異物の上側素子１３３Ｂへの付着を抑制することができる。他の硬貨検知センサ１２２，１２３，１４２，１４３，１５２，１５３，１６２，１６３，１７２，１７３，１８２，１８３についても同様である。したがって、異物の影響を、より抑制することができる。つまり、硬貨検知センサ１２２，１２３，１３２，１３３，１４２，１４３，１５２，１５３，１６２，１６３，１７２，１７３，１８２，１８３に異物が付着することを抑制できるため、これらの検知精度が低下することを抑制できる。
【０１１２】
また、例えば、無端搬送ベルト１０１の上辺部１０１Ｂの両側に設けられた規制部１３５，１３６が、上辺部１０１Ｂの両側に設けられた硬貨検知センサ１３２，１３３への異物の付着を抑制すると共に、上辺部１０１Ｂの横揺れを規制する。他の規制部も同様に無端搬送ベルト１０１の上辺部１０１Ｂの横揺れを規制する。したがって、無端搬送ベルト１０１の上辺部１０１Ｂが横揺れし、光軸を遮光して、硬貨検知センサ１２２，１２３，１３２，１３３，１４２，１４３，１５２，１５３，１６２，１６３，１７２，１７３，１８２，１８３の検知を阻害してしまうことを抑制できる。
【０１１３】
なお、上記実施形態において、リジェクト孔８０に並べて異物落下孔９１を設けることに加えて、損貨選別孔１２１の進退部材１１１が設けられた案内壁面９７Ｂとは反対側に、搬送面９５から異物を落下させる異物落下孔を損貨選別孔１２１と並べて設けることも可能である。或いは、異物落下孔９１を設けずに、損貨選別孔１２１と並べて異物落下孔を設けることも可能である。
【０１１４】
また、硬貨検知センサ１２２，１２３，１３２，１３３，１４２，１４３，１５２，１５３，１６２，１６３，１７２，１７３，１８２，１８３のそれぞれの無端搬送ベルト１０１の上辺部１０１Ｂの移動方向の上流側に加えて、硬貨検知センサ８１〜８４のそれぞれの無端搬送ベルト６２の正転時の上辺部の移動方向の上流側に上記と同様の規制部を設けることも可能である。また、硬貨検知センサ１２２，１２３，１３２，１３３，１４２，１４３，１５２，１５３，１６２，１６３，１７２，１７３，１８２，１８３のそれぞれの無端搬送ベルト１０１の上辺部１０１Ｂの移動方向の上流側に規制部を設けずに、硬貨検知センサ８１〜８４のそれぞれの無端搬送ベルト６２の正転時の上辺部の移動方向の上流側に上記と同様の規制部を設けることも可能である。
【０１１５】
また、硬貨処理機１は、規制部を、板状（直方体状）に設けることが好ましいが、板状（直方体状）以外の各種角柱状や円柱状に設けることも可能である。
【０１１６】
また、硬貨処理機１は、異物落下孔９１を介して異物Ｉをリジェクト箱１２に落下させることが好ましいが、機体１１から取り出し可能な異物落下箱をリジェクト箱１２とは別に設けて、この異物落下箱に落下させることも可能である。これにより、不良硬貨と異物Ｉとが別々の箱に収納されるので、不良硬貨と異物Ｉとを別々に機外に取り出すことができ、作業性が良い。更に、リジェクト箱１２の中を２つに区分けして、一方に不良硬貨を落下させ、他方に異物Ｉを落下させることも可能である。この場合でも、不良硬貨と異物Ｉとが別々の領域に収納されるので、不良硬貨と異物Ｉとを別々に機外に取り出すことができ、作業性が良い。
【０１１７】
また、上記の実施形態においては、硬貨処理機１が、バラ硬貨の選別計数を行って返却する選別計数返却処理及びバラ硬貨の選別計数を行って収納する選別計数収納処理（入金処理）が可能な硬貨入金機である場合について説明したが、バラ硬貨を処理するものであれば、種々の硬貨処理機に適用可能である。例えば、バラ硬貨の入金及び出金が可能な硬貨入出金機や、バラ硬貨に加えてバラ紙幣の入金及び出金も可能な釣銭機等の貨幣入出金機にも適用可能である。また、例えば、投入口５が、供給盤２６及び回転盤２７ではなく、投入された硬貨をベルトコンベア及び分離ローラで一枚ずつ繰り出す硬貨処理機にも適用可能である。
【符号の説明】
【０１１８】
１…硬貨処理機、１１…機体、１２…リジェクト箱（硬貨受箱）、３１…搬送部、５５…搬送面、５６Ｂ…案内壁面、５７Ａ…反対壁面、７１…進退部材、８０…リジェクト孔（硬貨落下孔）、９１…異物落下孔、１０１…無端搬送ベルト、１０１Ａ…下辺部、１０１Ｂ…上辺部、１２２，１２３，１３２，１３３，１４２，１４３，１５２，１５３，１６２，１６３，１７２，１７３，１８２，１８３…硬貨検知センサ、１２５，１２６，１３６，１４６，１５５，１５６，１６６，１７６，１８６…規制部、Ｃ…硬貨、Ｉ…異物。
【図１】
2018005605.tif 000003
【図２】
2018005605.tif 000004
【図３】
2018005605.tif 000005
【図４】
2018005605.tif 000006
【図５】
2018005605.tif 000007
【図６】
2018005605.tif 000008
【図７】
2018005605.tif 000009
【図８】
2018005605.tif 000010